(57)【要約】【課題】ヒートポンプ室外機においてリアクタから生じる騒音を低減する。【解決手段】ヒートポンプ室外機２において、筐体３１の内部の機械室３６に立設された垂直仕切壁３３に、圧縮機７を制御するインバータのリアクタ４０を取り付ける。このとき、リアクタ４０は、横壁部３３ｂに正対しないように傾斜させつつ配置される。これにより、リアクタ４０から放出された音ＳＤが、横壁部３３ｂと背面４２との間で反射を繰り返し上方に進んで行くことで空間４４から早期に抜けだし、機械室３６内に逃がされて拡散される。この結果、反射を繰り返して音が大きくなるのを防止し、騒音を低減することができる。【選択図】図６
2019135424.tif 000002
【特許請求の範囲】
【請求項１】
筐体の内部に配置された圧縮機と空気熱交換器と膨張弁とを接続して冷媒循環回路を形成するヒートポンプ室外機において、
前記筐体の内部に設けられ、少なくとも前記圧縮機を備えた機械室と、
前記機械室に立設された取付壁と、
を有し、
前記圧縮機を制御するインバータのリアクタを、前記取付壁に正対しないように傾斜させつつ当該取付壁に配置した
ことを特徴とするヒートポンプ室外機。
【請求項２】
前記取付壁のうち、前記リアクタに臨む領域は、
開口部を備えない板状の形状を備えている
ことを特徴とする請求項１記載のヒートポンプ室外機。
【請求項３】
前記リアクタは、
当該リアクタに備えられたコイル巻線の軸方向と前記取付壁の面方向とが、非垂直となるように、配置されている
ことを特徴とする請求項１または請求項２記載のヒートポンプ室外機。
【請求項４】
前記リアクタは、
前記コイル巻線の前記軸方向に垂直な方向と、前記取付壁の前記面方向とが、３°〜６°の範囲内となるように、配置されている
ことを特徴とする請求項３記載のヒートポンプ室外機。
【請求項５】
前記リアクタと前記取付壁との間に介在配置されたスペーサをさらに有する
ことを特徴とする請求項１乃至請求項４の何れか１項に記載のヒートポンプ室外機。
【発明の詳細な説明】
【技術分野】
【０００１】
この発明は、機械室内に圧縮機を制御するインバータのリアクタを備えたヒートポンプ室外機に関するものである。
【背景技術】
【０００２】
従来よりこの種のヒートポンプ室外機においては、特許文献１記載のように、圧縮機が設けられる機械室に設けた取付壁に、前記圧縮機を制御するインバータのリアクタが取り付けられているものがあった。
【先行技術文献】
【特許文献】
【０００３】
【特許文献１】特開平９−１９６４１７号公報
【発明の概要】
【発明が解決しようとする課題】
【０００４】
上記従来のものでは、リアクタが、通常、コイル巻線を鉄心の周りに巻回させて構成されていることから、例えば大電流が流れる際に磁歪（磁気ひずみ）が発生し、電磁音やビビリ音等の騒音が生じる場合があるという問題があった。
【課題を解決するための手段】
【０００５】
上記課題を解決するために、本発明の請求項１では、筐体の内部に配置された圧縮機と空気熱交換器と膨張弁とを接続して冷媒循環回路を形成するヒートポンプ室外機において、前記筐体の内部に設けられ、少なくとも前記圧縮機を備えた機械室と、前記機械室に立設された取付壁と、を有し、前記圧縮機を制御するインバータのリアクタを、前記取付壁に正対しないように傾斜させつつ当該取付壁に配置したものである。
【０００６】
また、請求項２では、前記取付壁のうち、前記リアクタに臨む領域は、開口部を備えない板状の形状を備えているものである。
【０００７】
また、請求項３では、前記リアクタは、当該リアクタに備えられたコイル巻線の軸方向と前記取付壁の面方向とが、非垂直となるように、配置されているものである。
【０００８】
また、請求項４では、前記リアクタは、前記コイル巻線の前記軸方向に垂直な方向と、前記取付壁の前記面方向とが、３°〜６°の範囲内となるように、配置されているものである。
【０００９】
また、請求項５では、前記リアクタと前記取付壁との間に介在配置されたスペーサをさらに有するものである。
【発明の効果】
【００１０】
この発明の請求項１によれば、冷媒循環回路での熱の送受を利用して、室内熱交換器が室内に対し吸熱又は放熱を行うことができる。すなわち、例えば冷房運転時には、冷媒循環回路において低温・低圧で吸入されたガスの冷媒が前記圧縮機で圧縮されて高温・高圧となった後、凝縮器において冷却されることで外気に熱を放出し高圧の液体に変化する。液体の冷媒は前記膨張弁で減圧されて低圧の液体となった後、蒸発器で蒸発しガスに変化することで吸熱を行う。
【００１１】
ここで、請求項１によれば、筐体の内部に機械室が設けられており、機械室内に前記圧縮機等が設けられている。そして、機械室に立設された取付壁に、圧縮機を制御するインバータのリアクタが取り付けられている。このリアクタは、通常、コイル巻線を鉄心の周りに巻回させて構成されており、例えば大電流が流れる際に磁歪（磁気ひずみ）が発生し、電磁音やビビリ音等の騒音が生じる場合がある。このとき、前記リアクタを取付壁に対し正対させた向きで取り付けると、取付壁とリアクタの背面との間のごく狭い空間において前記騒音が反射を繰り返し、ますます音が大きくなる。
【００１２】
請求項１によれば、リアクタを、前記取付壁に正対しないように傾斜させつつ配置する。これにより、リアクタの背面と取付壁とが互いに斜めの角度をもって向かい合うので、前記のようにして生じた騒音は取付壁とリアクタの背面との間の前記狭い空間から早期に抜けだし、機械室内に逃がされることとなる。この結果、前記のように反射を繰り返す場合のように音が大きくなるのを防止し、騒音を低減することができる。
【００１３】
また、請求項２によれば、取付壁のうちリアクタの背面側に位置する領域に開口部が存在する場合、前記の狭い空間で反射している音が前記開口部から漏れ出てしまい、この漏れた音が騒音源となる可能性がある。請求項２によれば、前記取付壁の前記リアクタに臨む領域（リアクタの背面側に位置する領域）が開口部を備えない板状の形状（いわゆるメクラ板状）であることにより、前記の音の漏れを防止しつつ、確実に前記反射によって音を機械室内へと逃がすことができる。
【００１４】
また、請求項３によれば、コイル巻線の軸方向と取付壁の面方向とが垂直でないように構成することで、確実にリアクタを取付壁に傾斜させ、リアクタから放出された音が、早期に機械室内に逃がされ、騒音を低減することができる。
【００１５】
また、請求項４によれば、コイル巻線の軸方向と垂直な方向と取付壁の面方向とを３°以上とすることにより、傾斜によって前記の音を逃がす効果をより確実に得ることができる。また６°以下とすることにより、傾斜が大きき過ぎることによる取り付けの困難性や取り付け後の不安定さを確実に回避することができる。
【００１６】
また、請求項５によれば、リアクタと取付壁との間にスペーサを介在させることで、前記したリアクタの傾斜配置を高い剛性で堅固に実現することができる。
【図面の簡単な説明】
【００１７】
【図１】本発明の一実施形態のヒートポンプ室外機を備えたヒートポンプ冷温水機の全体概略構成図
【図２】ヒートポンプ冷温水機の冷房運転時における冷凍サイクルを模式的に表した図
【図３】室外機の分解斜視図
【図４】図３中の要部構造を抽出して示す斜視図
【図５】図４中の矢印Ａ方向から見た右側面図
【図６】リアクタ及びその周囲の詳細構造を表す、図５の要部拡大図
【図７】比較例によるリアクタ及びその周囲の詳細構造を表す図
【図８】リアクタの上部も下部も垂直仕切壁から離間させる変形例における、リアクタ及びその周囲の詳細構造を表す図
【発明を実施するための形態】
【００１８】
以下、本発明の一実施の形態を図１〜図６に基づいて説明する。
【００１９】
本実施形態に係わるヒートポンプ室外機を備えたヒートポンプ冷温水機の全体概略構成を図１に示す。図１において、このヒートポンプ冷温水機１は、室外に設置される室外機２（ヒートポンプ室外機に相当）と、この室外機２と冷温水配管３を介して接続されて室内に設置される室内機４と、室内に配置されて各種の操作指示や情報の入出力を行うリモコン５と、前記冷温水配管３に接続されて室外に配置される膨張タンク５１と、を有する。
【００２０】
次に、前記ヒートポンプ冷温水機１の概略的なシステム構成を図２に示す。図２において、ヒートポンプ冷温水機１は、例えばＨＦＣなどの合成化合ガスを冷媒として循環させヒートポンプとして機能して室外での吸放熱を行う冷媒循環回路２１と、例えば不凍液などを冷温水として循環させ室内での吸放熱を行う冷温水循環回路２２（冷水又は温水循環回路に相当）と、の間における熱交換により、室内の空気温度を調整するものである。
【００２１】
すなわち、前記冷媒循環回路２１は、前記室外機２に備えられた、前記冷媒の循環方向を切り替える四方弁６と、前記冷媒を圧縮する圧縮機７と、前記冷媒と外気との熱交換を行う空気熱交換器８と、前記冷媒を減圧膨張させる膨張弁９と、冷媒と冷温水との熱交換を行う水−冷媒熱交換器１１とを、冷媒配管１５で接続して形成されている。なお、前記室外機２には、前記空気熱交換器８に送風する室外ファン１０が設けられている。
【００２２】
前記四方弁６は４つのポートを備える弁であり、（前記冷媒配管１５の一部を構成する）冷媒主経路１５ａ用の２つのポートのそれぞれに対して、（前記冷媒配管１５の一部を構成する）他の冷媒副経路１５ｂ用の２つのポートのいずれに接続するかを切り替える。冷媒副経路１５ｂ用の２つのポートどうしはループ状に配置された冷媒副経路１５ｂで接続されており、この冷媒副経路１５ｂ上に圧縮機７が設けられている。
【００２３】
前記圧縮機７は、低圧ガス状態の冷媒を昇圧して高圧ガス状態にするとともに、室外機２内における冷媒配管１５全体の冷媒を循環させるポンプとしても機能する。
【００２４】
また、前記四方弁６の冷媒主経路１５ａ用の２つのポートどうしは、ループ状に配置された前記冷媒主経路１５ａで接続されており、この冷媒主経路１５ａ上に空気熱交換器８、膨張弁９、及び水−冷媒熱交換器１１が順に（図示する例では冷媒主経路１５ａ左回りの順に）設けられている。
【００２５】
前記空気熱交換器８は、その内部を通過するガス状態の前記冷媒の温度が室外の外気温度より高い場合は、その冷媒の熱を放熱して液体状態に凝縮させる凝縮器として機能する。また、その内部を通過する液体状態の前記冷媒の温度が室外の外気温度より低い場合は外気の熱を冷媒に吸熱してガス状態に蒸発させる蒸発器として機能する。
【００２６】
前記室外ファン１０は、前記空気熱交換器８に対して送風することで、空気熱交換器８の性能を向上させる。
【００２７】
前記膨張弁９は、高圧液体状態の前記冷媒を減圧膨張させて低圧液体状態とするよう機能する。
【００２８】
水−冷媒熱交換器１１は、前記のように冷媒主経路１５ａに接続されてその内部に冷媒を通過させるとともに、冷温水配管３にも接続されてその内部に冷温水を通過させる。水−冷媒熱交換器１１の内部を通過するガス状態の冷媒の温度が冷温水の温度より高い場合は、冷媒に対してその熱を冷温水に放熱し液体状態に凝縮させる凝縮器として機能する。また、その内部を通過する液体状態の冷媒の温度が冷温水の温度より低い場合は、冷媒に対して冷温水の熱を吸熱しガス状態に蒸発させる蒸発器として機能する。
【００２９】
一方、冷温水循環回路２２は、前記室外機２に備えられた、前記水−冷媒熱交換器１１、前記冷温水に循環圧力を加える循環ポンプ１２、及び冷温水タンク１３と、前記室内機４に備えられ冷温水と室内空気との熱交換を行う室内熱交換器１４とを、前記冷温水配管３で接続して形成されている。
【００３０】
前記水−冷媒熱交換器１１は、ループ状に配置された前記冷温水配管３に接続されており、この冷温水配管３上に、室内熱交換器１４、冷温水タンク１３、及び循環ポンプ１２が順に（図示する例では冷温水配管３右回りの順に）設けられ、また前記室内熱交換器１４と前記冷温水タンク１３との間の冷温水配管３から分岐した配管が、前記膨張タンク５１に接続されている。
【００３１】
前記室内熱交換器１４は、その内部を通過する前記冷温水の温度が室内空気の温度より高い場合は、その冷温水の熱を放熱する放熱器として機能する。また、その内部を通過する前記冷温水の温度が室内空気の温度より低い場合は、室内空気の熱を冷温水に吸熱させる吸熱器として機能する。なお、この例では、室内機４は、図１に示すように、冷温水を循環させる前記冷温水配管３を露出させた冷温水パネルの形態の前記室内熱交換器１４を備えており、前記冷温水の熱又は冷気を輻射的に放出する態様で室内空気との熱交換を行う。
【００３２】
前記冷温水タンク１３は、キャビテーションなどで冷温水中に生じた気泡の分離（気水分離機能）を行い貯留し、上部に備えた気水分離弁１３ｂ（後述の図３参照）の更に上部に設けた摘みを操作することで貯留された空気を放出するものである。前記膨張タンク５１は、前記冷温水循環回路２２の冷温水配管３内における冷温水の膨張収縮の変動を吸収する、いわゆるアキュムレーターとして機能するものである。
【００３３】
前記循環ポンプ１２は、室外機２と室内機４の間に渡って配設される前記冷温水配管３全体に冷温水を循環させるよう機能する。
【００３４】
なお、室外機２は、当該室外機２の制御を行う室外機制御部（図示省略）を備えている。この室外機制御部は、主にＣＰＵ，ＲＯＭ、ＲＡＭ等を備えたマイクロコンピュータで構成され、前記リモコン５を介したユーザからの指示に基づいて室外機２全体の制御を行う。
【００３５】
上記構成の冷媒循環回路２１において、前記圧縮機７は冷媒副経路１５ｂ上において一方向に冷媒を循環させるものであり、前記四方弁６の切り替えによって冷媒主経路１５ａ上の冷媒の循環方向を制御する。例えば、図２は冷房運転時の循環方向を示しており、圧縮機７から吐出した冷媒が空気熱交換器８、膨張弁９、水−冷媒熱交換器１１の順で流通する。これにより、低温・低圧で吸入されたガス状態の冷媒が前記圧縮機７で圧縮されて高温・高圧のガスとなった後、前記空気熱交換器８（凝縮器として機能）において前記室外ファン１０の送風で冷却されることで外気に熱を放出しながら高圧の液体に変化する。こうして液体になった冷媒は前記膨張弁９で減圧されて低圧の液体となり蒸発しやすい状態となる。その後、低圧の液体が接続口１１ａから前記水−冷媒熱交換器１１へ流入し、水−冷媒熱交換器１１（蒸発器として機能）において蒸発してガスに変化することで前記冷温水循環回路２２の冷温水から吸熱を行う。そして冷媒は、前記水−冷媒熱交換器１１の接続口１１ｂから低温・低圧のガスとして流出した後、再び前記圧縮機７へと戻る。
【００３６】
一方、冷温水循環回路２２において、循環ポンプ１２により冷温水配管３を循環する前記冷温水は、接続口１１ｃから前記のようにして流入して水−冷媒熱交換器１１で冷却された後に接続口１１ｄから流出して室内熱交換器１４において室内空気から吸熱して室内を冷却し、その後に冷温水タンク１３を通過して再び循環ポンプ１２へ戻る。以上のような冷媒循環回路２１の冷凍サイクルと冷温水循環回路２２との間で熱交換を行うことにより、室内空気の温度を下げる冷房運転が行われる。
【００３７】
なお、特に図示しないが、このヒートポンプ冷温水機１では、前記四方弁６を切り替えて冷媒の循環方向を逆転することにより、空気熱交換器８を蒸発器として機能させ、水−冷媒熱交換器１１を凝縮器として機能させて、冷温水及び室内空気の温度を上げる暖房運転を行うことができる。
【００３８】
図３に、前記室外機２の分解斜視図を示し、図４に、図３中の要部構造を抽出して示す斜視図を示す。また図５に、図４中の矢印Ａ方向から見た右側面図を示す。
【００３９】
これら図３〜図５において、前記室外機２は、略直方体中空形状に形成された筐体３１を備えている。前記筐体３１は、天板部分３１ａＵと前面上方部分３１ａＬが一体となった上方カバー３１ａと、前面下方部分の前面パネル３１ｂと、上方部分の後方カバー３１ｃと、下方部分の右側方及び右後方を覆う右側板３１ｄと、下方部分の左側方を覆う左側板３１ｅと、底板３１ｆとから構成されている。
【００４０】
前記筐体３１の内部では、設置された状態の上方カバー３１ａと前面パネル３１ｂの境目に相当する高さに水平仕切壁３２が設けられ、この水平仕切壁３２の下方に垂直仕切壁３３（取付壁に相当）が設けられている。これにより、筐体３１の内部においては、前記水平仕切壁３２より上方の空間が冷温水回路室３４として区画され、前記水平仕切壁３２より下方の空間で前記垂直仕切壁３３より左右方向一方側（この例では左側）が送風室３５として区画され、前記垂直仕切壁３３より左右方向他方側（この例では右側）が機械室３６として区画されている。言い替えれば、垂直仕切壁３３は、その図示右側が機械室３６に面して立設されている。また、前記機械室３６は、前記前面パネル３１ｂと、前記右側板３１ｄと、前記底板３１ｆと、前記水平仕切壁３２と、前記垂直仕切壁３３とによって囲まれた略閉塞された空間となっている。なお、前記垂直仕切壁３３は、図４に示すように、前記筐体３１の前端から略後方向に延びる縦壁部３３ａと、縦壁部３３ａの後端部から前記空気熱交換器８の右エンドプレート８Ｒ付近まで前記空気熱交換器８と対面するように略右方向に延びる横壁部３３ｂとを有している。
【００４１】
前記冷温水回路室３４には、前記循環ポンプ１２と前記冷温水タンク１３とが収納されている。これら冷温水タンク１３及び循環ポンプ１２は、この例では、冷温水配管３の接続ヘッダ３Ａ１，３Ａ２（前記の図２も参照）を筐体３１の右側に設けたのに対応し、前記送風室３５の上方位置に配置されている。
【００４２】
前記冷温水タンク１３は、前記冷温水を貯留し流通させる缶体であるタンク本体１３ａを備え、前記したように、前記冷温水循環回路２２で発生する空気の貯留・分離を行う。そのために、冷温水を貯留する前記タンク本体１３ａの上部に気水分離弁１３ｂが設けられ、タンク本体１３ａ内の気水分離を行ってタンク本体１３ａ内で発生する空気を排出するものである。
【００４３】
前記送風室３５には、前記空気熱交換器８と前記室外ファン１０とが収納されている。空気熱交換器８は、左右方向の一方側（この例では左側）に送風室３５の前部に臨む左エンドプレート８Ｌ（図３、図４参照）を有し、左右方向の他方側（この例では右側）に機械室３６の後部に臨む右エンドプレート８Ｒ（図４、図５参照）を有する。この例の空気熱交換器８は、その厚さ方向に通風可能なパネル体のフィンチューブ式熱交換器であり、送風室３５の後面（背面）側及び左側面側において当該送風室３５の高さ方向略全域に配置されている。この例の室外ファン１０は、図示しない駆動モータにより駆動される回転軸１０ｂと、この回転軸１０ｂに固定された羽根車１０ａとを備えており、室外機２の後方側から前方側へ向かう方向（図３中の右上から左下へ向かう方向）に送風する軸流ファンである。
【００４４】
前記機械室３６には、少なくとも前記圧縮機７及び前記水−冷媒熱交換器１１が収納（この例では、前記四方弁６及び前記膨張弁９等も収納）されている。機械室３６に収納された前記水−冷媒熱交換器１１は、機械室３６の内部を、前面側空間３６ａと背面側空間３６ｂとに区分するように配置される。前記圧縮機７は、前記機械室３６内において、前記前面側空間３６ａに、前記四方弁６と共に配置されている。
【００４５】
次に、上記の基本構成である本実施形態の室外機２の特徴を詳細に説明する。本実施形態の室外機２では、前記機械室３６の前記前面側空間３６ａにおいて、前記垂直仕切壁３３（この例では前記横壁部３３ｂ）に、圧縮機７を制御するインバータ（図示せず）のリアクタ４０が取り付けられている（図４及び図５参照）。
【００４６】
前記リアクタ４０は、図４及び図５に示すように、コイル巻線４０ａを鉄心４０ｂの周りに巻回させて構成され、前記リアクタ４０は、圧縮機７を制御するインバータ（図示せず）と電源との間に介在されて力率改善のために用いられ、交流電流が印加されている。このような構成のリアクタ４０では、例えば大電流が流れる際に磁歪（磁気ひずみ）が発生し、電磁音やビビリ音等の騒音が生じる場合がある。そこで、本実施形態では、前記騒音が大きくなるのを防止し、騒音を低減するために、リアクタ４０を、図５に示すように、前記垂直仕切壁３３の前記横壁部３３ｂに正対しないように傾斜させつつ配置する。
【００４７】
前記リアクタ４０及びその周囲の詳細構造を図６に示す。図６に示すように、リアクタ４０は、左右両側に取付片４１を有するフレーム状の背面４２を備えている。
【００４８】
取付片４１の上部４１ａは、背面４２の面方向に沿って鉄心４０ｂよりも略上方に突出し、取付片４１の下部４１ｂは、背面４２の面方向に対し下方に折れ曲がって鉄心４０ｂよりも略下方に突出している。取付片４１の前記下部４１ｂは、前記横壁部３３ｂに設けられた切り起こし片３８に挿入され、これによってリアクタ４０の下部が前記横壁部３３ｂに支持されている。
【００４９】
取付片４１の前記上部４１ａと前記横壁部３３ｂとの間には、スペーサ４３が介在配置されている。前記上部４１ａは、例えば当該上部４１ａに設けたねじ穴（図示せず）に挿入されるねじ４５によって、スペーサ４３を介して前記横壁部３３ｂにねじ止めされている。この結果、リアクタ４０が前記横壁部３３ｂに取り付けられたとき、前記コイル巻線４０ａの軸方向ｈと、前記横壁部３３ｂの面方向ｊとが、垂直でない角度となるように（言い替えれば、前記軸方向ｈに垂直な方向ｉと前記面方向ｊとが０度より大きい所定の角度θをもって向かい合うように）、配置されている。この結果、背面４２と前記横壁部３３ｂとの間の空間４４は、上方に向けて拡幅する形状となっている。またこのとき、前記横壁部３３ｂのうち、少なくとも、リアクタ４０が臨む領域３３ｂａは、開口部を備えない板状の形状（いわゆるメクラ板状）を備えている。
【００５０】
以上のように、本実施形態の室外機２おいては、前記筐体３１の内部の機械室３６に（面するように）立設された垂直仕切壁３３に、圧縮機７を制御するインバータのリアクタ４０が取り付けられている。このとき、リアクタ４０は、前記横壁部３３ｂに正対しないように傾斜させつつ配置され、リアクタ４０の背面４２と横壁部３３ｂとが互いに斜めの角度をもって向かい合う。これにより、前述の騒音を低減することができる。この作用効果を、図７に示す比較例を用いて説明する。
【００５１】
図７において、この比較例においては、リアクタ４０が、前記垂直仕切壁３３の前記横壁部３３ｂに正対させて配置されている（言い替えれば、前記コイル巻線４０ａの前記軸方向ｈと前記横壁部３３ｂの前記面方向ｊとが垂直となっている。このように、リアクタ４０が垂直仕切壁３３に対し正対させた向きで取り付けられる場合、垂直仕切壁３３とリアクタ４０の背面４２との間のごく狭い空間４４′において前記騒音が反射を繰り返し（本実施形態の前記空間４４とは異なり、騒音が空間４４′内で留まったままの傾向となる）、ますます音が大きくなる。
【００５２】
これに対し、本実施形態においては、（前記したように背面４２と前記横壁部３３ｂとが互いに斜めの角度で向かい合い空間４４が上方に向けて拡幅していることから）例えばリアクタ４０から放出された音ＳＤが、図６中の太矢印で示すように前記横壁部３３ｂと背面４２との間で反射を繰り返して前記空間４４を上方に進んで行くことで、前記空間４４から早期に抜けだし、機械室３６内に逃がされて拡散されることとなる。この結果、前記比較例のように反射を繰り返して音が大きくなるのを防止し、騒音を低減することができ、略閉塞された空間である機械室３６内に音を逃がすので、機械室３６内から外部に音が漏れるのも抑制できる。
【００５３】
なお、前記横壁部３３ｂに対するリアクタ４０の傾斜によって前記の音を逃がす効果をより確実に得るためには、前記の角度θを３°以上とすることが好ましい。また、リアクタ４０の傾斜が大き過ぎることによる取り付けの困難性や取り付け後の不安定さを確実に回避するためには、上記角度θは、６°以下とすることが好ましい。
【００５４】
また、本実施形態では特に、前記垂直仕切壁３３のうち、前記リアクタ４０に臨む領域３３ｂａが、開口部を備えない板状の形状を備えている。これにより、次の効果を奏する。すなわち、仮に、横壁部３３ｂのうちリアクタ４０に臨む領域３３ｂａに開口部が存在する場合、前記の空間４４で反射している音が前記開口部から漏れ出てしまい、この漏れた音が空気熱交換器８を抜けて機外に漏れて騒音源となる可能性がある。本実施形態によれば、前記横壁部３３ｂは、前記リアクタ４０に臨む前記領域３３ｂａが開口部を備えない板状の形状（いわゆるメクラ板状）であることにより、前記の音の漏れを防止しつつ、確実に前記反射によって音ＳＤを機械室３６内へと逃がすことができる。
【００５５】
また、本実施形態では特に、前記リアクタ４０は、当該リアクタ４０に備えられたコイル巻線４０ａの前記軸方向ｈと前記横壁部３３ｂの前記面方向ｊとが、非垂直となるように、配置されている。このように、前記軸方向ｈと前記面方向ｊとが垂直でないように構成することで、確実にリアクタ４０を横壁部３３ｂに傾斜させ、リアクタ４０から放出された音ＳＤが、早期に機械室３６内に逃がされ、騒音を低減することができる。
【００５６】
また、本実施形態では特に、リアクタ４０は、前記軸方向ｈに垂直な前記方向ｉと、横壁部３３ｂの前記面方向ｊとのなすｓ角度θが、３°〜６°の範囲内となるように、配置されている。θ≧３°とすることにより、傾斜によって前記の音ＳＤを逃がす効果をより確実に得ることができる。またθ≦６°とすることにより、傾斜が大きき過ぎることによる取り付けの困難性や取り付け後の不安定さを確実に回避することができる。
【００５７】
また、本実施形態では特に、リアクタ４０と横壁部３３ｂとの間に介在配置されたスペーサ４３を有する。このように、リアクタ４０と横壁部３３ｂとの間にスペーサ４３を介在させることで、前記したリアクタ４０の傾斜配置を高い剛性で堅固に実現することができる。
【００５８】
なお、本発明は上記実施形態に限定されるものではなく、発明の要旨を変更しない範囲で種々の変更が可能である。以下、そのような変形例を説明する。
【００５９】
すなわち、上記実施形態では、リアクタ４０の上部（詳細には取付片４１の上部４１ａ）をスペーサ４３を介在させることで横壁部３３ｂから離間させる一方、リアクタ４０の下部（詳細には取付片４１の下部４１ｂ）を前記横壁部３３ｂに密着させるように配置し、これによってリアクタ４０全体の前記傾斜した姿勢を実現したが、これに限られない。すなわち、リアクタ４０の上部も下部も横壁部３３ｂから離間させつつ、リアクタ４０全体を前記傾斜した姿勢としてもよい。そのような変形例を図８に示す。
【００６０】
図８に示すように、この例では、２つのスペーサ４６，４７を用意し、リアクタ４０の上部（詳細には取付片４１の上部４１ａ）は、スペーサ４６を介在させることで横壁部３３ｂから比較的大きく離間させる一方、リアクタ４０の下部（詳細には取付片４１の上部４１ｂ）は、スペーサ４７を介在させることで横壁部３３ｂから比較的小さく離間させる。この例では、各スペーサ４６，４７には前記実施形態と同様にそれぞれねじ４５が挿通されて前記同様に横壁部３３ｂにねじ止めされている。
【００６１】
上記構成により、前記実施形態と同様、前記コイル巻線４０ａの前記軸方向ｈと、前記横壁部３３ｂの面方向ｊとが、垂直でない角度となるように（前記軸方向ｈに垂直な方向ｉと前記面方向ｊとが前記角度θをもって向かい合うように）、配置されている。この結果、前記実施形態と同様、リアクタ４０から横壁部３３ｂに向けて放出された音ＳＤは前記空間４４から早期に抜けだして機械室３６内に逃がされ、これによって前記騒音が大きくなるのを防止し、騒音を低減することができる。
【００６２】
なお、騒音の抜けやすさに与えるリアクタ４０の周囲の機器や配管類の配置の影響を考慮すると、前記横壁部３３ｂに対するリアクタ４０配置は、前記空間４４が上方に向けて拡幅するように斜めの角度で向かい合う配置の方が、騒音が抜けやすい点で好適であるが、前記空間４４が下方又は左方又は右方に向けて拡幅するように斜めの角度で向かい合う配置でもよい。この場合、同様に、前記音ＳＤを前記空間４４から早期に抜けださせ、機械室３６側に逃がして、前記騒音が大きくなるのを防止し、騒音を低減することができる。
【００６３】
また、上記実施形態および変形例では、スペーサ４３にねじ４５が挿通される構成を例にとって説明したが、これに限られない。すなわち、（両サイドのねじ止め位置に重ならないように配置される）スペーサ４３をリアクタ４０と横壁部３３ｂとの間に介在させつつ、ねじ４５はリアクタ４０と横壁部３３ｂとを締結する構造でも良い。すなわち、スペーサ４３をリアクタ４０と横壁部３３ｂとの間に介在させることができれば、必ずしもスペーサ４３にねじ４５が挿通していなくてもよいものである。
【００６４】
さらに、以上においては、前記四方弁６の切り替えによって冷房運転及び暖房運転の両方を行えるヒートポンプ冷温水機１に本発明を適用したが、これに限られない。すなわち、暖房運転を行わず冷房運転のみを行うヒートポンプ冷水機、あるいは冷房運転を行わず暖房運転のみを行うヒートポンプ温水機に、本発明を適用しても良い。
【００６５】
さらに、以上においては、水−冷媒熱交換器１１を備えたヒートポンプに本発明を適用した場合を例にとって説明したが、これに限られない。すなわち、室内機４に直接冷媒を供給して冷房運転および／または暖房運転を行えるようなヒートポンプ空気調和機（いわゆるエアコン）に本発明を適用することもでき、この場合も、上記同様の効果を得る。
【符号の説明】
【００６６】
２                室外機（ヒートポンプ室外機に相当）
７                圧縮機
８                空気熱交換器
９                膨張弁
１１              水―冷媒熱交換器
１４              室内熱交換器
２１              冷媒循環回路
２２              冷温水循環回路
３１              筐体
３３              垂直仕切壁（取付壁に相当）
３３ｂ            横壁部
３６              機械室
４０              リアクタ
４０ａ            コイル巻線
４３，４６，４７  スペーサ
ｈ                コイル巻線の軸方向
ｉ                コイル巻線の軸方向に垂直な方向
ｊ                横壁部の面方向
ＳＤ              音
【図１】
2019135424.tif 000003
【図２】
2019135424.tif 000004
【図３】
2019135424.tif 000005
【図４】
2019135424.tif 000006
【図５】
2019135424.tif 000007
【図６】
2019135424.tif 000008
【図７】
2019135424.tif 000009
【図８】
2019135424.tif 000010